(57)【特許請求の範囲】
【請求項１】
パルス信号に基づいて時刻針を回転駆動することにより時刻表示を行い、第２の操作によって時刻針の運針を停止させて時刻針の時刻合わせを行うアナログ電子時計において、
操作部と、
前記操作部の操作を検出する検出手段と、
所定期間当たり所定パルス数のパルス信号を繰り返して出力するパルス発生手段と、
前記パルス発生手段から受信したパルス信号のパルス数に対応する数だけ、秒針を回転駆動するモータを回転制御するモータ駆動手段とを備えて成り、
前記パルス発生手段は、前記検出手段によって前記操作部の操作が行われていないことを検出したときに前記所定期間当たり所定パルス数の等間隔に配列した第１のパルス信号を前記所定期間毎に繰り返して出力すると共に、前記検出手段によって前記操作部の第１の操作が行われたことを検出したときに、前記所定期間内の所定範囲に前記所定数のパルスを集中させた第２のパルス信号を、前記所定期間毎に繰り返して出力し、
前記パルス発生手段は、所定周波数の低周波パルス信号と前記低速パルス信号よりも高周波数の高周波パルス信号を生成するパルス生成手段と、前記検出手段による前記操作部の操作の検出結果に応じて、前記低周波パルス信号と前記高周波パルス信号を選択的に通過する制御手段とを備え、
前記制御手段は、前記検出手段によって前記操作部の操作が行われていないことを検出したときに、前記所定期間毎に、前記所定パルス数の前記低周波パルス信号を前記第１のパルス信号として出力し、前記検出手段によって前記操作部の前記第１の操作が行われたことを検出したときに、前記所定期間毎に、前記所定期間当たりのパルス数が前記第１のパルス信号と同数になるように、所定範囲の連続する前記高周波パルス信号を前記第２のパルス信号として出力することを特徴とするアナログ電子時計。
【請求項２】
前記操作部は前記第２の操作がなされ、前記パルス発生手段は、前記検出手段によって前記操作部の前記第２の操作が行われたことを検出したときにパルス信号の出力を停止し、これによって前記モータの回転が停止することを特徴とする請求項１記載のアナログ電子時計。
【請求項３】
前記操作部は竜頭によって構成され、前記パルス発生手段は、前記検出手段によって竜頭が１段引き操作されたことを検出したときに前記第２のパルス信号を出力することを特徴とする請求項１又は２記載のアナログ電子時計。
【請求項４】
前記パルス発生手段は、前記検出手段によって竜頭が２段引き操作されたことを検出したときにパルス信号の出力を停止することを特徴とする請求項３記載のアナログ電子時計。
【請求項５】
前記所定期間は１秒間であることを特徴とする請求項１乃至４のいずれか一に記載のアナログ電子時計。
【発明の詳細な説明】
【０００１】
【発明の属する技術分野】
本発明は、パルス信号に基づいて時刻針を回転駆動することにより時刻表示を行い、所定の操作によって時刻針の運針を停止させて時刻針の時刻合わせを行うようにしたアナログ電子時計に関する。
【０００２】
【従来の技術】
従来から、パルス信号に基づいてモータで時刻針を回転駆動することにより時刻表示を行うアナログ電子時計が使用されている。
アナログ電子時計の時刻を合わせる場合、秒針まで正確に合わせる方法として、秒針を正秒に合わせるために、秒針を０秒位置に停止させた状態で時分針を合わせる方法（０秒規正）がある。
前記０秒規正を行うためには、竜頭を引く等の操作を行って、電子時計に使用されている集積回路にリセット信号を入力することにより、秒針を運針させるための駆動パルスを停止させて、０秒位置に秒針を停止させるようにしている。
【０００３】
【発明が解決しようとする課題】
前述したようにして、０秒位置に秒針を停止させるにはタイミングを計って０秒位置に停止させなければならず、タイミングを失して秒針が０秒位置を通過した場合には、秒針が再度０秒位置に到来するまで１分間待たなければならない。
特に、１秒間に複数ステップ（例えば４ステップ以上）の高周期で秒針の運針（高周期運針）を行う電子時計では、秒針を正確に０秒位置に停止させることは困難であるという問題がある。
【０００４】
本発明は、高周期運針を行うアナログ電子時計においても秒針を０秒位置に容易に停止させることができるようにすることを課題としている。
【０００５】
【課題を解決するための手段】
本発明によれば、パルス信号に基づいて時刻針を回転駆動することにより時刻表示を行い、所定の操作によって時刻針の運針を停止させて時刻針の時刻合わせを行うアナログ電子時計において、操作部と、前記操作部の操作を検出する検出手段と、所定期間当たり所定パルス数のパルス信号を繰り返して出力するパルス発生手段と、前記パルス発生手段から受信したパルス信号のパルス数に対応する数だけ、秒針を回転駆動するモータを回転制御するモータ駆動手段とを備えて成り、前記パルス発生手段は、前記検出手段によって前記操作部の操作が行われていないことを検出したときに前記所定期間当たり所定パルス数の等間隔に配列した第１のパルス信号を前記所定期間毎に繰り返して出力すると共に、前記検出手段によって前記操作部の操作が行われたことを検出したときに、前記所定期間内の所定範囲に前記所定数のパルスを集中させた第２のパルス信号を、前記所定期間毎に繰り返して出力することを特徴とするアナログ電子時計が提供される。
【０００６】
パルス発生手段は、検出手段によって操作部の操作が行われていないことを検出したときに所定期間当たり所定パルス数の等間隔に配列された第１のパルス信号を前記所定期間毎に繰り返して出力すると共に、前記検出手段によって前記操作部の操作が行われたことを検出したときに、前記所定期間内の所定範囲に前記所定数のパルスを集中させた第２のパルス信号を、前記所定期間毎に繰り返して出力する。これにより、前記操作部が操作されていないとき、秒針は等速で回転駆動され、前記操作部が操作されたとき、秒針は高速運針後に一定時間停止する動作を繰り返し行う。
【０００７】
ここで、前記パルス発生手段は、所定周波数の低周波パルス信号と前記低速パルス信号よりも高周波数の高周波パルス信号を生成するパルス生成手段と、前記検出手段による前記操作部の操作の検出結果に応じて、前記低周波パルス信号と前記高周波パルス信号を選択的に通過する制御手段とを備え、前記制御手段は、前記検出手段によって前記操作部の操作が行われたことを検出したときに、前記所定期間毎に、前記所定パルス数の前記低周波パルス信号を前記第１のパルス信号として出力し、前記検出手段によって前記操作部の操作が行われたことを検出したときに、前記所定期間毎に、前記所定期間当たりのパルス数が前記第１のパルス信号と同数になるように、所定範囲の連続する前記高周波パルス信号を前記第２のパルス信号として出力するように構成してもよい。
【０００８】
また、前記操作部は前記操作とは異なる他の操作がなされ、前記パルス発生手段は、前記検出手段によって前記操作部の前記他の操作が行われたことを検出したときにパルス信号の出力を停止し、これによって前記モータの回転が停止するように構成してもよい。
また、前記操作部は竜頭によって構成され、前記パルス発生手段は、前記検出手段によって竜頭が１段引き操作されたことを検出したときに前記第２のパルス信号を出力するように構成してもよい。
また、前記パルス発生手段は、前記検出手段によって竜頭が２段引き操作されたことを検出したときにパルス信号の出力を停止するように構成してもよい。
また、前記所定期間は１秒間としてもよい。
【０００９】
【発明の実施の形態】
以下、本発明の実施の形態について、図面を参照しながら詳細に説明する。
図１は、本発明の実施の形態に係るアナログ電子時計のブロック図で、秒針を４ステップ駆動することによって１秒を表示する高周期運針方式のアナログ電子腕時計の例を示している。
図１において、発振回路１０１は分周回路１０２を介して制御回路１０３の一方の入力部に接続されている。操作部１０９が、検出手段を構成する検出回路１０８を介して、制御回路１０３の他方の入力部に接続されている。また、制御回路１０３の出力部は、モータ駆動手段を構成するモータ駆動回路１０６を介して、時刻針（秒針、分針、時針）駆動用のモータ１０７に接続されている。モータ１０７は、時計用として一般的に使用されているステップモータである。
【００１０】
操作部１０９は、外部から操作可能な部材によって構成されており、例えば、２段引き操作が可能であると共に、２段引き操作を行った状態で回転操作することによって時分針を回転させて時刻合わせが可能な周知の竜頭機構を使用することができる。本実施の形態では、操作部１０９として前記竜頭を用いた例を説明する。
検出回路１０８は操作部１０９が操作されたことを検出する回路で、例えば検出スイッチによって構成され、操作部１０９が前記竜頭の場合には、前記竜頭が引き操作されていないこと、１段引き操作されたこと及び２段引き操作されたこと、のいずれの操作がなされたのかを検出する。
発振回路１０１及び分周回路１０２はパルス生成手段を構成しており、分周回路１０２は発振回路１０１で生成したパルス信号を分周して、所定周波数の低周波パルス信号と、前記低周波パルス信号よりも高周波数の高周波パルス信号を生成し、制御回路１０３に出力する。
【００１１】
制御手段を構成する制御回路１０３は、検出回路１０８による操作部１０９の操作の検出結果に応じて前記低周波パルス信号と前記高周波パルス信号を選択的に通過するパルス選択回路１０４と、検出回路１０８による操作部１０９の操作の検出結果に応じて、パルス選択回路１０４からのパルス信号が通過する時間幅を切り換えるパルス通過回路１０５とを備えている。
制御回路１０３は、所定期間（本実施の形態では１秒間）当たり所定パルス数（本実施の形態では４パルス）のパルス信号を繰り返して出力するものであり、検出回路１０８によって操作部１０９の操作が行われていないことを検出したときに前記所定期間当たり前記所定数の低周波パルス信号を等間隔に配列した第１のパルス信号Ｓ１を前記所定期間毎に繰り返して出力すると共に、検出回路１０８によって操作部１０９の第１の操作（本実施の形態では竜頭の１段引き操作）が行われたことを検出したときに、前記所定期間内で前記所定期間より短い所定範囲に前記所定数の高周波パルス信号を集中させた第２のパルス信号Ｓ２を、前記所定期間毎に繰り返して出力する。また、制御回路１０３は、検出部１０８によって操作部１０９の第２の操作（本実施の形態では竜頭の２段引き操作）が行われたことを検出したときにはパルス信号を出力しないように構成されている。
尚、発振回路１０１、分周回路１０２及び制御回路１０３はパルス発生手段を構成している。
【００１２】
図２は、本実施の形態の動作を説明するためのタイミング図で、制御回路１０３から出力される信号のタイミングを示している。
以下、図１及び図２を参照して、本実施の形態の動作を説明する。
初期状態として、分周回路１０２は、発振回路１０１で生成した所定周波数のパルス信号を分周して、所定周波数の低周波信号と、前記低周波信号よりも高周波数の高周波パルス信号を制御回路１０３に出力している状態にある。また、操作部１０９は操作が行われていない状態、即ち、時刻針（秒針、分針、時針）を通常運針することにより時刻表示を行っている状態にあるものとする。
【００１３】
この状態では、検出回路１０８は操作部１０９の操作が行われていないことを検出した検出信号が出力された状態にある。パルス選択回路１０４は、前記低周波パルス信号を選択してパルス通過回路１０５に出力する。パルス通過回路１０５は、１秒当たり４パルス数の等間隔に配列した第１のパルス信号Ｓ１を１秒毎に繰り返して出力する。即ち、パルス通過回路１０５は、パルス選択回路１０４から入力された前記低周波パルス信号に何らの制限も加えずに、そのままモータ駆動回路１０６に出力する。これにより、制御回路１０３からは、１秒当たり４パルスの等間隔に配列した第１のパルス信号Ｓ１が、１秒毎に繰り返してモータ駆動回路１０６に出力される（図２のａ、ｂ）。モータ駆動回路１０６は、前記第１のパルス信号Ｓ１に基づいてモータ１０７を回転制御する。その結果、秒針は４ステップで１秒を表示する。
【００１４】
この状態で、操作部１０９の１段引き操作（第１の操作）を行うと、検出回路１０８は操作部１０９が１段引き操作されたことを検出して、操作部１０９が１段引き操作されたことを表す第１の検出信号を制御回路１０３に出力する。
パルス選択回路１０４は、前記第１の検出信号に応答して、前記高周波パルス信号を選択してパルス通過回路１０５に出力する。パルス通過回路１０５は、前記第１の検出信号に応答して、１秒間の所定範囲に４パルスを集中させた第２のパルス信号を、１秒毎に繰り返して出力する。即ち、パルス通過回路１０５は、パルス選択回路１０４から入力された前記高周波パルス信号のうち連続する最初の４パルス／秒のみを通過するようにパルスの通過時間幅を切り換える。これにより、制御回路１０３からは、図２ｃ、ｄに示すように、１秒当たり、前記高周波パルス信号の中の連続する最初の４パルスから成る第２のパルス信号Ｓ２が、１秒ごとに繰り返してモータ駆動回路１０６に出力される。
【００１５】
モータ駆動回路１０６は、４パルス／秒の第２のパルス信号Ｓ２に基づいてモータ１０７を速送りで回転制御した後、次のパルス信号Ｓ２が到来するまでの所定時間だけモータの回転を停止し、以後、この動作を繰り返す。その結果、秒針は４ステップで１秒を表示することになるが、各秒において、秒針は第２のパルス信号Ｓ２が存在する期間は１秒分速送りされ、第２のパルス信号が存在しない残りの期間は秒針が停止した状態になる。
したがって、秒針が０秒位置に到来したときに、操作部１０９を１段引き操作することにより、秒針を０秒位置に１秒弱の間、容易に停止させることができる。
【００１６】
次に、操作部１０９をさらに１段引き操作（即ち、２段引き操作（第２の操作））を行うと、検出回路１０８は操作部１０９が２段引き操作されたことを検出して、操作部１０９が２段引き操作されたことを表す第２の検出信号を制御回路１０３に出力する。パルス通過回路１０５は、前記第２の検出信号に応答して、パルス選択回路１０４から入力された前記高周波パルス信号を遮断するように動作する。これにより、図２ｅ、ｆに示すように、制御回路１０３からは第２のパルス信号Ｓ２は出力されなくなり、これによってモータ１０７の回転が停止して、秒針を含む時刻針の運針が停止する。
したがって、前記２段引き操作を、秒針が０秒位置に到来したときに行うことにより、秒針を０秒位置に容易に停止させることができる。
【００１７】
この状態で、操作部１０９を回転操作することにより、時分針を正確な時刻に合わせる。
その後、操作部１０９を１段戻し操作（１段引きの状態に戻す操作）すると、検出回路１０８がこれを検出して第１の検出信号を出力し、これにより、パルス通過回路１０５が前述した動作を行うため、第２のパルス信号Ｓ２が制御回路３から出力され（図２のｇ、ｈ）、前述したような秒針の速送り及び停止動作が繰り返し行われる。
この状態から、操作部１０９をさらに１段戻し操作（引き操作していない状態に戻す操作）を行うと、図２ｉ、ｊに示すように通常の時刻表示の運針に復帰する。
【００１８】
以上述べたように、本発明の実施の形態に係るアナログ電子時計は、特に、パルス信号に基づいて時刻針を回転駆動することにより時刻表示を行い、所定の操作によって時刻針の運針を停止させて時刻針の時刻合わせを行うアナログ電子時計において、操作部１０９と、操作部１０９の操作を検出する検出回路１０８と、所定期間当たり所定パルス数のパルス信号を繰り返して出力するパルス発生手段（発振回路１０１、分周回路１０２、制御回路１０３）と、前記パルス発生手段から受信したパルス信号のパルス数に対応する数だけ、秒針を回転駆動するモータを回転制御するモータ駆動手段とを備えて成り、前記パルス発生手段は、検出回路１０８によって操作部１０９の操作が行われていないことを検出したときに前記所定期間当たり所定パルス数の等間隔に配列した第１のパルス信号を前記所定期間毎に繰り返して出力すると共に、検出回路１０８によって操作部１０９の操作が行われたことを検出したときに、前記所定期間内で前記所定期間より短い所定期間範囲に前記所定数のパルスを集中させた第２のパルス信号を、前記所定期間毎に繰り返して出力することを特徴としている。
【００１９】
したがって、高周期運針を行うアナログ電子時計においても秒針を０秒位置に容易に停止させることが可能になり、秒針まで正確に時刻合わせを行うことが可能になる。
また、機械式時計では正確な秒表示を維持することは困難であるが、本実施の形態に係る高周期運針方式のアナログ電子時計は、機械式時計を髣髴させる秒針の運針でありながら、秒針まで正確な時刻表示を行うことが可能になる。
また、分周回路１０２からの入力される複数の周波数パルス信号を検出回路１０８の検出結果に応じて選択的に通過するパルス選択回路１０４と、パルス選択回路１０４からのパルス信号を検出回路１０８の検出結果に応じて各所定期間における所定時間幅内のパルスのみを通過するパルス通過回路１０５とによって構成しているため、簡単な構成で実現することが可能になる。
【００２０】
尚、本実施の形態では、構成を簡単にするために操作部１０９として竜頭を使用したが、他の操作部を設けるようにしてもよい。
また、本実施の形態では、高周波パルス信号の最初の４パルスを各所定期間毎に出力するように構成したが、例えば、最後の４パルスを前記各所定期間毎に出力するように構成する等によって、前記各所定期間における所定時間幅内の連続する所定数のパルスを出力するようにしてもよい。
また、モータ１０７は、時刻針を駆動するモータ、即ち、秒針、分針及び時針を兼用して回転駆動する一つのモータを使用したが、秒針のみを駆動するモータと時分針を駆動するモータを使用し、秒針のみを前述したように駆動制御する等、種々の変更が可能である。
【００２１】
【発明の効果】
本発明によれば、高周期運針を行うアナログ電子時計においても秒針を０秒位置に容易に停止させることが可能になり、秒針まで正確に時刻合わせを行うことが可能になる。
【図面の簡単な説明】
【図１】本発明の実施の形態に係るアナログ電子時計のブロック図である。
【図２】本発明の実施の形態に係るアナログ電子時計のタイミング図である。
【符号の説明】
１０１・・・パルス発生手段を構成する発振回路
１０２・・・パルス発生手段を構成する分周回路
１０３・・・パルス発生手段を構成する制御回路
１０４・・・パルス発生手段を構成するパルス選択回路
１０５・・・パルス発生手段を構成するパルス通過回路
１０６・・・モータ駆動手段を構成するモータ駆動回路
１０７・・・モータ
１０８・・・検出手段を駆動する検出回路
１０９・・・操作部
【図１】
0004828720.tif 000002
【図２】
0004828720.tif 000003